(57)【要約】【課題】デコレーションケーキなど、後で切り分けられる大型のケーキを販売する時に使用されるトレーとして、容易に、所望の大きさや形状に切り分けが出来る、トレーを提供する。【解決手段】【請求項１】食品を載置するトレーＡにおいて、当該トレーＡの略中央部に円形状の食品載置部６を設け、当該食品載置部６の外側に、上記食品載置部６の中心点と同一の中心点を有する環状周壁１を設け、当該環状周壁１に、当該環状周壁１の円周に沿って等間隔で１２等分し、等分した各部を、さらに、６等分して目盛り３、４、５を設け、これらの目盛り３、４、５は、環状周壁１で夫々の中心点に向けた一定長の線条体で表示され、これらの目盛り３、４、５を有する環状周壁１が、外方へ行くほど上方へ持ち上がったテーパー状に設けた。【選択図】図１
0003118171.tif 000002
【実用新案登録請求の範囲】
【請求項１】
食品を載置するトレーにおいて、当該トレーの略中央部に円形状の食品載置部を設け、当該食品載置部の外側に、上記食品載置部の中心点と同一の中心点を有する環状部を設け、当該環状部に、当該環状部の円周に沿って等間隔に目盛りを設けたことを特徴とする、カット用目盛り付トレー又はシート。
【請求項２】
食品を載置するトレーにおいて、当該トレーの略中央部に円形状又は多角形状の食品載置部を設け、当該食品載置部の外側に、上記食品載置部の中心点と同一の中心点を有する略正方形状の方形環状部を設け、当該方形環状部において、当該方形環状部の中心点から中心角を等しくする放射線上の位置に目盛りを設けたことを特徴とする、カット用目盛り付トレー又はシート。
【請求項３】
上記目盛りは、環状部又は方形環状部で夫々の中心点に向けた一定長の線条体で表示されていることを特徴とする、上記請求項１又は２の何れかに記載のカット用目盛り付トレー又はシート。
【請求項４】
食品を載置するトレーにおいて、当該トレーの略中央部に方形状の食品載置部を設け、当該食品載置部の外側に、上記食品載置部の中心点と同一の中心点を有する方形環状部を、上記食品載置部の各辺と相応させて設け、当該方形環状部の各辺に等間隔で目盛りを設けたことを特徴とする、カット用目盛り付トレー又はシート。
【請求項５】
上記目盛りを有する環状部又は方形環状部が、外方へ行くほど上方へ持ち上がったテーパー状に設けたことを特徴とする、上記請求項１、２、３又は４の何れかに記載のカット用目盛り付トレー。
【請求項６】
上記目盛りは、等間隔で１２等分し、等分した各部を、さらに、６等分して設けたことを特徴とする、上記請求項１、２、３、又は５の何れかに記載のカット用目盛り付トレー又はシート。
【考案の詳細な説明】
【技術分野】
【０００１】
この考案は、食品、特に洋菓子店等でケーキ等を購入した購入者が家で当該ケーキ等を切り分ける際に使用出来、また、ケーキ等を提供するレストランやカフェ等において、ケーキを切り分ける際に使用出来るトレー又はシートに関するものである。
【背景技術】
【０００２】
従来、洋菓子店において、デコレーションケーキなど、後に切り分けられる大型のケーキを販売する時は、まず、別途設けられたトレーの上に載置し、この状態で紙箱に入れて販売されている。購入者は、この様なトレー上に載せられ、紙箱に入ったケーキを家に持って帰り、トレーごとテーブルの上に出して所望する大きさや形状に切り分けている。
【０００３】
この様なトレーとして、方形状の底板上に、当該底板より一回り小さく、周辺に外壁を設けて成る中底板を貼着して形成されるものがある。
【特許文献１】登録実用新案第３０７７４８２号公報
【考案の開示】
【考案が解決しようとする課題】
【０００４】
しかしながら、この様なトレーは、ただ、ケーキを安定して紙箱内に出し入れ出来、また、紙箱内で無闇に移動せず、安定して持ち運びが出来るというだけのものであって、後に切り分ける際、容易に切り分けられるように工夫することまでは考えていない。つまり、これらのケーキは、家に持ち帰った後は、ほとんど、ナイフで切り分けられるのが一般的であるが、その際、等分に切ろうとしても、目分量で切り分けるため、どうしても切ったケーキの大きさがバラバラになりがちである。
【０００５】
そこで、この考案は、デコレーションケーキなど、後で切り分けられる大型のケーキを販売する時に使用されるトレーとして、容易に、所望の大きさや形状に切り分けが出来る、トレーを提供するものである。また、このトレーに代えて、当該トレーと略同様の構成を設け、この上にケーキを載置するだけで、切り分けが容易に出来るシートを提供するものである。
【課題を解決するための手段】
【０００６】
請求項１の考案は、食品を載置するトレーにおいて、当該トレーの略中央部に円形状の食品載置部を設け、当該食品載置部の外側に、上記食品載置部の中心点と同一の中心点を有する環状部を設け、当該環状部に、当該環状部の円周に沿って等間隔に目盛りを設けたカット用目盛り付トレー又はシートとした。
【０００７】
請求項２の考案は、食品を載置するトレーにおいて、当該トレーの略中央部に円形状又は多角形状の食品載置部を設け、当該食品載置部の外側に、上記食品載置部の中心点と同一の中心点を有する略正方形状の方形環状部を設け、当該方形環状部において、当該方形環状部の中心点から中心角を等しくする放射線上の位置に目盛りを設けたカット用目盛り付トレー又はシートとした。
【０００８】
請求項３の考案は、上記目盛りは、環状部又は方形環状部で夫々の中心点に向けた一定長の線条体で表示されている上記請求項１又は２の何れかに記載のカット用目盛り付トレー又はシートとした。
【０００９】
請求項４の考案は、食品を載置するトレーにおいて、当該トレーの略中央部に方形状の食品載置部を設け、当該食品載置部の外側に、上記食品載置部の中心点と同一の中心点を有する方形環状部を、上記食品載置部の各辺と相応させて設け、当該方形環状部の各辺に等間隔で目盛りを設けたカット用目盛り付トレー又はシートとした。
【００１０】
請求項５の考案は、上記目盛りを有する環状部又は方形環状部が、外方へ行くほど上方へ持ち上がったテーパー状に設けた上記請求項１、２、３又は４の何れかに記載のカット用目盛り付トレーとした。
【００１１】
請求項６の考案は、上記目盛りは、等間隔で１２等分し、等分した各部を、さらに、６等分して設けた上記請求項１、２、３、又は５の何れかに記載のカット用目盛り付トレー又はシートとした。
【考案の効果】
【００１２】
請求項１、２の各考案によれば、食品を載置するトレーの略中央部に円形状又は多角形状等の食品載置部を設け、当該食品載置部の外側に、上記食品載置部の中心点と同一の中心点を有する環状部又は方形環状部を設け、当該環状部に、当該環状部の円周に沿って等間隔等に目盛りを設けたので、このトレーの食品載置部上にケーキなどを載置した場合、上記目盛りを目安として、所望の等間隔の大きさ又は形状にケーキなどを極めて容易に正確に切り分けることが出来る。
【００１３】
従って、このトレーをケーキを販売する際の組立て紙箱などに使用した場合、購入者は、家に帰って、このトレーのまま、紙箱から引き出すだけで、非常に簡単にデコレーションケーキ等を定規等を使用することなく、各種均等に正確に切り分けることが出来、便利である。その結果、デコレーションケーキ等の商品の売り上げにも貢献するものである。
【００１４】
請求項３の考案によれば、上記目盛りは、環状部又は方形環状部で夫々の中心点に向けた一定長の線条体で表示されているので、夫々の目盛りの位置及び方向が一目で分かり、切る方向が分かり易く、誤って他の目盛りで切り分ける恐れもなくなる。
【００１５】
請求項４の考案によれば、食品を載置するトレーにおいて、当該食品載置部の外側に、上記食品載置部の中心点と同一の中心点を有する方形環状部を、上記食品載置部の各辺と相応させて設け、当該方形環状部の各辺に等間隔で目盛りを設けたので、平面四角形状のケーキ等を桝目状に正確かつ容易に切り分けることが出来る。
【００１６】
また、請求項５の考案によれば、上記目盛りを有する環状部又は方形環状部が、外方へ行くほど上方へ持ち上がったテーパー状に設けたので、載置された食品が無闇に移動することがなく、また、紙箱から引き出す際にも容易に当該トレーの一端を掴んで引き出すことが出来る。この様な結果、これらのトレーの使い勝手が良くなり、また、商品としてのトレーの信頼性を高めるものである。
【００１７】
請求項６の考案によれば、上記目盛りは、等間隔で１２等分し、等分した各部を、さらに、６等分して設けたので、このトレーの上に載置されたケーキ等を２等分、４等分、６等分、８等分、及び１２等分の他、最大７２等分まで、容易かつ正確に切り分けることが出来、また、１２等分の各目盛りの中の真ん中の位置が容易に分かるので、これらの目盛りを利用して、各種様々な形状や大きさに切り分けることが出来、当該トレーの使用範囲を大きく広げるものである。
【００１８】
さらに、トレーに代えてシートとしたものは、当該シートをトレー又は調理台の上に置き、これらの上に食品を載置し、所望の大きさ又は形状に切ることとしたので、一般の、目盛りが設けられていないトレーであっても、また、一般家庭のテーブルの上であっても、このシートを置いてその上に食品を載置するだけで、極めて容易に所望する形状等に、正確に切り分けることが出来、様々な状況下において、使用出来るので、このシートの使用範囲を大きく拡げるものである。
【考案を実施するための最良の形態】
【００１９】
食品を載置するトレーにおいて、当該トレーの略中央部に円形状の食品載置部を設け、当該食品載置部の外側に、上記食品載置部の中心点と同一の中心点を有する環状部を設け、当該環状部に、当該環状部の円周に沿って等間隔に目盛りを設けた。
【実施例１】
【００２０】
以下、この考案の実施例１を図に基づいて説明する。
図１及び図２は、この考案の実施例１のトレーＡを示す。このトレーＡは、プラスチックから成り、平面円形状であって、その中央部にケーキを載置する円形状のケーキ載置部６を設け、その外側に、外周縁を外方へ行くほど上方へ持ち上がったテーパー状に設けて円形状の環状周壁１として形成しており、この環状周壁１の中心点及びケーキ載置部６の中心点は、トレーＡの中心点２と同一である。
【００２１】
また、この環状周壁１の面上に、時計の目盛りと同様に、トレーの中心点２から放射線状の位置に、当該面上を裏面から押圧して凸部を設け、これにより１２等分の目盛りを設け、これらの各目盛りの間に、さらに、６等分した目盛りを設けている。この時、環状周壁１を１２等分する目盛りを大きく設け（以下、「大目盛り３」と言う）、当該大目盛り３の中の６等分する目盛りを小さく設け（以下、「小目盛り５」と言う）、当該小目盛り５の中の真ん中の目盛りを中位の大きさに設けている（以下、「中目盛り４」と言う）。
【００２２】
また、上記ケーキ載置部６は、このトレーＡの上記中心点２を中心とした円形状となっており、左右から斜行した線を刻んで立体的な桝目状としている。さらに、このケーキ載置部６の外側には、上記トレーＡの上記中心点２を中心とした環状突部７を設け、当該ケーキ載置部６を中心に平面円形状のケーキを載置した際、ケーキが安定して載置され、無闇に移動しないようになっている。
【００２３】
次に、この様なトレーＡに平面円形状のケーキを載置し、各種等分に切り分ける様子を説明する。まず、このトレーＡの中心点２の位置や環状突部７の位置とケーキの中心の位置や外周縁の位置を合わせて、当該個所にケーキを載置する（図示省略）。その際、ケーキの外周縁と環状突部７との間隔を等しくなるように合わせると簡単である。
【００２４】
そして、このケーキを２等分に切り分ける場合は、一例として、トレーの環状周壁１の目盛りの、時計で言うと１２時と６時の位置にある大目盛り３を結ぶ線で切り分け、３等分する時には、３６０度／３＝１２０度づつとなり、このケーキの中心部と、環状周壁１の目盛りの１２時、４時と８時の位置にある大目盛り３を結ぶ線で切り分ける。
【００２５】
さらに、ケーキを４等分する時には、３６０度／４＝９０度づつとなり、環状周壁１の目盛りの、時計で言うと１２時と６時、９時と３時の位置にある大目盛り３を結ぶ線で切り分け、また、６等分する時には、３６０度／６＝６０度づつとなり、１２時と６時、２時と８時、及び１０時と４時の位置にある大目盛り３を結ぶ線で切り分ける。
【００２６】
続いて、８等分する時には、３６０度／８＝４５度づつとなり、環状周壁１の目盛りの、時計で言うと１２時と６時、９時と３時、１時半と７時半、及び１０時半と４時半の位置にある大目盛り３と中目盛り４を結ぶ線で切り分ける。この様にして、最大、円形状のケーキを７２等分に切り分けることが出来る（この場合、３６０度／７２＝５度づつとなる）。
【実施例２】
【００２７】
次に、この考案の実施例２を図に基づいて説明する。
図３は、この考案の実施例２のトレーＢを示す。この実施例２のトレーＢが上記実施例１のトレーＡと異なる構成は、形状である。すなわち、上記実施例１のトレーＡは、平面円形状であるが、この実施例２のトレーＢは、平面正方形状であり、ケーキ載置部１５及び環状突部１６も正方形状である。目盛りの設け方等、その他の構成は、実施例１と概ね同様である。
【００２８】
このトレーＢの場合、正方形状の環状周壁８に設けた各種の目盛り３、４、５によって、各種均等に切り分けることが出来るのは、上記トレーＡと同様であるが、このトレーＢでは、図３及び図４に示すように、環状周壁８に設けた各種の目盛り３、４、５とは、別に、この正方形状の環状周壁８の各辺に等間隔で目盛り９、１０、１１、１２、１３、１４を夫々設け、これらの各目盛りと、相対向する環状周壁８の各辺に設けた各目盛り９、１０、１１、１２、１３、１４とを夫々結ぶ仮想線９ａ、１０ａ、１１ａ、１２ａ、１３ａ、１４ａを目安として、当該トレーＢのケーキ載置部１５上に載置されたケーキ、例えば、四角形に焼かれたケーキ（図４において、Ｋで示す。）などを切って直方体形状などの桝目状に均等に正確に切り分けることが出来る。
【実施例３】
【００２９】
続いて、この考案の実施例３を図に基づいて説明する。
図５は、この考案の実施例３を示す。この実施例３が上記実施例１と異なるのは、上記実施例１がトレーであるのに対し、この実施例３は、シートである点であり、その外周縁もテーパー状ではない。また、左右から斜行した線を刻んで立体的な桝目状としたケーキ載置部６も設けていない。平面的なケーキ載置部６´及び環状突部７´を設けており、その他、目盛りを設ける点については、上記実施例１、２と同様である。
【００３０】
この実施例３のシートＣを、目盛りが設けられていない通常のトレー、調理室の調理台、又は家庭のテーブルの上などに置き、このシートＣの中心点２の位置や環状突部７´、環状周壁１７の位置にケーキの中心点やケーキの外周縁の位置を合わせ、ケーキを載置する。そして、各目盛りを目安として所望する等間隔の大きさや形状に切り分ける。
【００３１】
なお、上記実施例１、２、３において、環状周壁１、８、１７に目盛りとして１２等分の大目盛り３、６等分の小目盛り５、中目盛り４を設けているが、大目盛り３だけ設けても良いし、また、この大目盛り３を必ずしも１２設ける必要はなく、何れも、必要に応じて適宜の数量を設ければよい。また、トレーＡ、Ｂをプラスチック製としているが、トレーＡ、Ｂは、一定の形状が一定の時間維持できるものであれば材質は問わない。
【００３２】
また、実施例３のシートＣの材質も紙製、フィルム、プラスチック製など何でもよく、材質は問わない。また、上記実施例１、２、及び３では、ケーキを使用して切り分けているが、これらの実施例のトレーＡ、ＢやシートＣを使用して所望の形状や大きさに切り分けることが出来るものであれば、他の食品、例えば、ピザ、お好み焼き（以上、トレーＡの場合）、羊羹（以上、長方形状のシートの場合）などを切り分ける際に使用しても良い。
【００３３】
また、上記実施例１では、トレーＡの外周縁をテーパー状に設け、当該トレーＡの底板に、ケーキ載置部６や環状突部７を設けて、ケーキを安定して載置出来るようにしているが、これらの構成は、本願発明において、必ずしも必要とするものではない。また、上記実施例２では、トレーＢを直方体形状などの桝目状に切り分けるのに、当該トレーＢの相対向する各辺を４等分した目盛りを目安として行っているが、各辺を等分するのは、４等分に限るものではなく、所望の数量でよく、さらに、これらの目盛りは必ずしも設ける必要はない。
【００３４】
また、上記実施例１では、円形状のトレーＡを使用し、上記実施例２では、正方形状のトレーＢを使用しているが、円形状のトレーＡの場合、デコレーションケーキなど平面円形状のケーキの切り分けに適しており、正方形状のトレーＢの場合、平面円形状のケーキの他、平面四角形状のケーキや変形のケーキなど、幅広く使用することが出来る。
【図面の簡単な説明】
【００３５】
【図１】この考案の実施例１のトレーの平面図である。
【図２】この考案の実施例１のトレーの正面図である。
【図３】この考案の実施例２のトレーの平面図である。
【図４】この考案の実施例２のトレーの縦横の環状周壁に等間隔の目盛りを設け、これらの相対向する各目盛りを線で結び、ケーキ等を直方体形状に切り分ける際のイメージを表す図である。
【図５】この考案の実施例３のシートの平面図である。
【符号の説明】
【００３６】
Ａ    トレー                            Ｂ    トレー
Ｃ    シート
１    環状周壁                          ２    中心点
３    大目盛り                          ４    中目盛り
５    小目盛り                          ８    環状周壁
【図１】
0003118171.tif 000003
【図２】
0003118171.tif 000004
【図３】
0003118171.tif 000005
【図４】
0003118171.tif 000006
【図５】
0003118171.tif 000007